(57)【要約】【課題】精度よく媒体を切断できる切断機構及びこれを備える記録装置を提供する。【解決手段】切断機構５０は、媒体を切断可能なカッター刃と、カッター刃が取り付けられるカッターユニット７０と、カッターユニットに回転可能に取り付けられる第１ピニオンギヤ９１と、第１ピニオンギヤと噛み合い可能なラックギヤ６４と、を備え、第１ピニオンギヤ及びラックギヤが斜歯で構成され、カッターユニットは、ラックギヤと噛み合せて第１ピニオンギヤを回転させながら移動する。【選択図】図７
2018161695.tif 000002
【特許請求の範囲】
【請求項１】
媒体を切断可能なカッター刃と、
前記カッター刃が取り付けられるカッターユニットと、
前記カッターユニットに回転可能に取り付けられるピニオンギヤと、
前記ピニオンギヤと噛み合い可能なラックギヤと、を備え、
前記ピニオンギヤ及び前記ラックギヤが斜歯で構成され、
前記カッターユニットは、前記ラックギヤと噛み合せて前記ピニオンギヤを回転させながら移動することを特徴とする切断機構。
【請求項２】
前記カッター刃は、前記カッターユニットに回転可能に取り付けられ、前記ピニオンギヤが回転することにより回転することを特徴とする請求項１に記載の切断機構。
【請求項３】
前記ピニオンギヤの回転を前記カッター刃に伝達する中継ギヤを備えることを特徴とする請求項２に記載の切断機構。
【請求項４】
前記ピニオンギヤは、前記カッターユニットに複数設けられていることを特徴とする請求項１乃至請求項３のうち何れか一項に記載の切断機構。
【請求項５】
媒体に画像を記録する記録部と、
請求項１乃至請求項４のうち何れか一項に記載された切断機構と、を備えることを特徴とする記録装置。
【請求項６】
前記媒体を搬送方向に搬送する搬送部を備え、
前記ピニオンギヤ及び前記ラックギヤは、前記媒体を切断するべく前記カッターユニットが前記ピニオンギヤを回転させながら前記ラックギヤに沿って移動する際に、前記カッターユニットを前記搬送方向の上流側に向けて押し付けるような斜歯で構成されていることを特徴とする請求項５に記載の記録装置。
【請求項７】
前記媒体を搬送方向に搬送する搬送部を備え、
前記ピニオンギヤ及び前記ラックギヤは、前記媒体を切断した後に前記カッターユニットが前記ラックギヤに沿ってホームポジションへ向けて移動する際、前記カッターユニットを前記搬送方向の下流側に向けて押し付けるような斜歯で構成されていることを特徴とする請求項５又は請求項６に記載の記録装置。
【請求項８】
前記記録部は、移動部を有し、
前記カッターユニットは、前記移動部の移動に伴って移動可能に構成されていることを特徴とする請求項５乃至請求項７のうち何れか一項に記載の記録装置。
【請求項９】
前記カッターユニットを前記ラックギヤに沿って移動させるための駆動部を備えることを特徴とする請求項５乃至請求項７のうち何れか一項に記載の記録装置。
【発明の詳細な説明】
【技術分野】
【０００１】
本発明は、媒体を切断する切断機構及びこれを備える記録装置に関する。
【背景技術】
【０００２】
記録装置の一例として、文字、写真等の画像を記録した媒体を所望のサイズに切断する切断機構を備えるプリンターがある。特許文献１には、切断機構の一例として、回転刃を有するカッターキャリッジがガイド軸に沿って移動することによって、ロール紙を切断するカッター機構が記載されている。
【先行技術文献】
【特許文献】
【０００３】
【特許文献１】特開２００５−６６７５５号公報
【発明の概要】
【発明が解決しようとする課題】
【０００４】
特許文献１に記載されたカッター機構においては、例えば、カッターキャリッジとガイド軸との組み付け精度によっては、カッターキャリッジがガイド軸に沿って移動する際に、カッターキャリッジにがたつきが生じることがある。カッターキャリッジががたつくと、媒体を精度よく切断できない虞がある。
【０００５】
本発明の目的は、精度よく媒体を切断できる切断機構及びこれを備える記録装置を提供することにある。
【課題を解決するための手段】
【０００６】
以下、上記課題を解決するための手段及びその作用効果について記載する。
上記課題を解決する切断機構は、媒体を切断可能なカッター刃と、前記カッター刃が取り付けられるカッターユニットと、前記カッターユニットに回転可能に取り付けられるピニオンギヤと、前記ピニオンギヤと噛み合い可能なラックギヤと、を備え、前記ピニオンギヤ及び前記ラックギヤが斜歯で構成され、前記カッターユニットは、前記ラックギヤと噛み合せて前記ピニオンギヤを回転させながら移動する。
【０００７】
この構成によれば、ピニオンギヤとラックギヤが斜歯で構成されているため、ラックギヤに対してピニオンギヤが回転する際、ピニオンギヤにはその回転軸に沿う推力が発生する。カッターユニットがピニオンギヤを回転させながらラックギヤに沿って移動する際、この推力によってカッターユニットが所定の方向に押し付けられるため、カッターユニットは、姿勢が安定した状態で移動可能となる。したがって、精度よく媒体を切断できる。
【０００８】
上記切断機構において、前記カッター刃は、前記カッターユニットに回転可能に取り付けられ、前記ピニオンギヤが回転することにより回転することが好ましい。
この構成によれば、カッター刃が回転することにより媒体を切断し易くできる。
【０００９】
上記切断機構においては、前記ピニオンギヤの回転を前記カッター刃に伝達する中継ギヤを備えることが好ましい。
この構成によれば、中継ギヤを備えることによって、カッター刃及びピニオンギヤにおける配置の自由度を向上できる。
【００１０】
上記切断機構において、前記ピニオンギヤは、前記カッターユニットに複数設けられていることが好ましい。
この構成によれば、カッターユニットを押し付ける推力がより大きくなるため、カッターユニットの姿勢をより安定させることができる。
【００１１】
また、上記課題を解決する記録装置は、媒体に画像を記録する記録部と、上記の切断機構と、を備える。
この構成によれば、上述した切断機構と同様の効果を得ることができる。
【００１２】
上記記録装置においては、前記媒体を搬送方向に搬送する搬送部を備え、前記ピニオンギヤ及び前記ラックギヤは、前記媒体を切断するべく前記カッターユニットが前記ピニオンギヤを回転させながら前記ラックギヤに沿って移動する際に、前記カッターユニットを前記搬送方向の上流側に向けて押し付けるような斜歯で構成されていることが好ましい。
【００１３】
この構成によれば、カッターユニットの姿勢を安定させることができる。
上記記録装置においては、前記媒体を搬送方向に搬送する搬送部を備え、前記ピニオンギヤ及び前記ラックギヤは、前記媒体を切断した後に前記カッターユニットが前記ラックギヤに沿ってホームポジションへ向けて移動する際、前記カッターユニットを前記搬送方向の下流側に向けて押し付けるような斜歯で構成されていることが好ましい。
【００１４】
この構成によれば、カッターユニットがホームポジションへ戻る際に、切断済みの媒体を再び切断する虞を低減できる。
上記記録装置において、前記記録部は、移動部を有し、前記カッターユニットは、前記移動部の移動に伴って移動可能に構成されていることが好ましい。
【００１５】
この構成によれば、カッターユニットを移動させるためのモーターなどが不要となる。そのため、構成を簡易にすることができる。
上記記録装置においては、前記カッターユニットを前記ラックギヤに沿って移動させるための駆動部を備えることが好ましい。
【００１６】
この構成によれば、カッターユニットを移動させるための機構を容易に実現できる。
【図面の簡単な説明】
【００１７】
【図１】切断機構を備える記録装置の一実施形態の内部構造を模式的に示す側面図。
【図２】切断機構の斜視図。
【図３】切断機構の正面図。
【図４】切断機構の側面図。
【図５】切断機構の断面図。
【図６】中継ギヤを示す斜視図。
【図７】切断機構を下方から見たときの断面図。
【発明を実施するための形態】
【００１８】
以下、切断機構を備える記録装置の一実施形態について図面を参照しながら説明する。
図１に示すように、記録装置１１は、直方体状の筐体１２を有している。記録装置１１は、筐体１２内に、媒体Ｓに文字、写真等の画像を記録する記録部２０と、媒体Ｓを支持する第１支持部材３１及び第２支持部材３２とを備えている。記録装置１１は、筐体１２内に、媒体Ｓを搬送する搬送部４０と、記録部２０により記録された媒体Ｓを切断する切断機構５０とを備えている。すなわち、記録部２０、第１、第２支持部材３１、３２、搬送部４０、切断機構５０は、筐体１２に収容されている。
【００１９】
筐体１２内には、例えば用紙である媒体Ｓがロール状に巻き重ねられたロール体Ｒが配置されている。ロール体Ｒは、図１において右方となる筐体１２内の後方に配置されている。ロール体Ｒは、媒体Ｓの幅方向Ｘに延びるように設けられた軸１３によって回転可能に支持されている。本実施形態においては、軸１３が図１において反時計回り方向に回転することによって、ロール体Ｒから媒体Ｓが巻き解かれる。巻き解かれた媒体Ｓは、搬送部４０により搬送され、筐体１２の前面１４に開口する排出口１５を通じて筐体１２内から筐体１２外へ排出される。すなわち、本実施形態において、筐体１２の後方から前方に向かう方向、図１において右方から左方に向かう方向が、搬送部４０により搬送される媒体Ｓの搬送方向Ｙとなる。筐体１２の前面１４は、鉛直方向Ｚ及び幅方向Ｘに広がりを有する面である。
【００２０】
記録部２０は、例えばインク等の液体を媒体Ｓに向けて噴射するヘッド２１と、ヘッド２１を搭載するキャリッジ２２とを有している。キャリッジ２２は、筐体１２内に設けられるフレーム１６と、フレーム１６に取り付けられたガイド軸１７とにより支持されている。ガイド軸１７は、媒体Ｓの幅方向Ｘに延びている。キャリッジ２２は、ガイド軸１７に沿って移動可能とされている。すなわち、キャリッジ２２は、幅方向Ｘに移動可能とされている。本実施形態において、キャリッジ２２は、記録部２０が有する移動部の一例として機能する。ヘッド２１は、キャリッジ２２がガイド軸１７に沿って移動することによって、幅方向Ｘの全域に亘って媒体Ｓに液体を噴射可能とされている。
【００２１】
第１、第２支持部材３１、３２は、板状の部材で構成されている。第１支持部材３１は、搬送方向Ｙにおいて第２支持部材３２よりも上流側に配置され、ロール体Ｒから巻き解かれた媒体Ｓを記録部２０に向けて案内する。第２支持部材３２は、記録部２０のヘッド２１と対向するように配置されている。
【００２２】
搬送部４０は、ロール体Ｒから巻き解かれた媒体Ｓを第１、第２支持部材３１、３２に沿うように、筐体１２内から排出口１５に向けて搬送する。搬送部４０は、搬送方向Ｙにおいて、上流側から下流側に向かって順に、第１搬送ローラー対４１、第２搬送ローラー対４２、第３搬送ローラー対４３、第４搬送ローラー対４４を有している。第１搬送ローラー対４１は、搬送方向Ｙにおいて、ヘッド２１よりも上流側に配置され、第１支持部材３１と第２支持部材３２との間となる位置に配置されている。第２、第３、第４搬送ローラー対４２、４３、４４は、搬送方向Ｙにおいて、ヘッド２１よりも下流側に配置されている。
【００２３】
第１、第２、第３、第４搬送ローラー対４１、４２、４３、４４は、図示しないモーターにより駆動回転が可能な駆動ローラー４５と、駆動ローラー４５の回転に対して従動回転が可能な従動ローラー４６とを有している。第１、第２、第３、第４搬送ローラー対４１、４２、４３、４４は、駆動ローラー４５と従動ローラー４６とで媒体Ｓを挟み込んだ状態で回転することによって、媒体Ｓを搬送する。駆動ローラー４５は、媒体Ｓに対して下方から接触するように配置されている。従動ローラー４６は、媒体Ｓに対して上方から接触するように配置されている。すなわち、第２、第３、第４搬送ローラー対４２、４３、４４における従動ローラー４６は、媒体Ｓを搬送する際に、媒体Ｓに対して液体が噴射された面に接触する。そのため、第２、第３、第４搬送ローラー対４２、４３、４４における従動ローラー４６は、媒体Ｓに記録された画像の品質の劣化を低減するべく、媒体Ｓに対して接触面積の小さいスターホイール等で構成されている。第１、第２、第３、第４搬送ローラー対４１、４２、４３、４４は、幅方向Ｘにおいて、所定の間隔をあけてそれぞれ複数配置されている。
【００２４】
切断機構５０は、搬送方向Ｙにおいて、第３搬送ローラー対４３と第４搬送ローラー対４４との間に配置されている。切断機構５０により切断された媒体Ｓは、第４搬送ローラー対４４によって搬送されることで排出口１５から排出される。なお、本実施形態における記録装置１１は、ユーザーが手を排出口１５から筐体１２内に挿し入れることができない程度に、排出口１５の開口における鉛直方向Ｚの間隔が比較的小さく構成されている。
【００２５】
本実施形態における記録装置１１は、通常、水平に広がる床面に設置された状態で使用される。記録装置１１の筐体１２は、その前面１４が床面と交差、理想的には直交するような直方体状をなすように設けられている。このとき、Ｘ軸、Ｙ軸、Ｚ軸の３軸からなる直交座標系を考え、記録装置１１が設置される床面をＸ軸及びＹ軸からなる平面とし、筐体１２の前面１４をＸ軸及びＺ軸からなる平面となるように座標系をとる。すると、幅方向ＸはＸ軸が延びる方向と一致し、搬送方向ＹはＹ軸が延びる方向と一致し、鉛直方向ＺはＺ軸が延びる方向と一致する。幅方向Ｘに延びるＸ軸と、搬送方向Ｙに延びるＹ軸と、鉛直方向Ｚに延びるＺ軸とは、それぞれ互いに直交する関係にある。すなわち、本実施形態において、幅方向Ｘ、搬送方向Ｙ及び鉛直方向Ｚは、それぞれ互いに異なる３つの方向を示している。
【００２６】
次に、切断機構５０について説明する。
図２に示すように、切断機構５０は、媒体Ｓを切断するためのカッター刃５１と、カッター刃５１が取り付けられるカッターユニット７０と、カッターユニット７０を支持するガイドフレーム６０とを有している。ガイドフレーム６０は、幅方向Ｘにおいて、記録装置１１が装填可能なロール体Ｒよりも長尺となるように延びている。すなわち、ガイドフレーム６０の長手方向は、幅方向Ｘと一致する。カッターユニット７０は、ガイドフレーム６０に沿って往復移動することが可能とされている。切断機構５０は、カッターユニット７０がガイドフレーム６０に沿って移動することによって、カッター刃５１により媒体Ｓを切断する。なお、説明の便宜のため、幅方向Ｘにおいて、図２における左側を＋Ｘ側とし、その逆側となる右側を−Ｘ側とする。本実施形態においては、図２に示すように、ガイドフレーム６０において、幅方向Ｘの＋Ｘ側となる端部が、カッターユニット７０のホームポジションＨＰとされている。
【００２７】
ガイドフレーム６０は、板金が折り曲げられて構成されている。ガイドフレーム６０は、幅方向Ｘから見たときに鉤爪状をなすように形成されている。ガイドフレーム６０は、底壁６１と、底壁６１から上方に向けて屈曲して延びる前壁６２及び後壁６３を有している。前壁６２は、搬送方向Ｙにおいて後壁６３よりも下流側に位置し、鉛直方向Ｚにおいて後壁６３よりもその長さが短くなるように底壁６１から延びている。
【００２８】
ガイドフレーム６０は、幅方向Ｘに延びるラックギヤ６４を有している。ラックギヤ６４は、ガイドフレーム６０の後壁６３において、搬送方向Ｙの下流側となる面に取り付けられている。ラックギヤ６４は、後壁６３の上縁に沿うように配置され、幅方向Ｘにおける長さがガイドフレーム６０よりも少し短くなるように設けられている。ラックギヤ６４は、その下側となる部分に歯６５を幅方向Ｘに亘って有している。ラックギヤ６４は、その上側となる部分に、カッターユニット７０の移動をガイドするための溝６６を幅方向Ｘに亘って有している。
【００２９】
図２及び図３に示すように、カッターユニット７０は、カッター刃５１を保持する保持体７１と、ガイドフレーム６０に保持される移動体７２とを有している。なお、図２及び図３に示すカッターユニット７０は、ホームポジションＨＰに位置している。保持体７１及び移動体７２は、一体的に取り扱い可能となるように互いに固定されている。保持体７１及び移動体７２は、搬送方向Ｙから見たときに互いに一部分同士が重なるように固定されている。詳述すると、保持体７１及び移動体７２は、保持体７１の下側部分と移動体７２の上側部分とが鉛直方向Ｚにおいて重なるように配置されている。
【００３０】
保持体７１は、移動体７２において、搬送方向Ｙの下流側となる面に取り付けられている。保持体７１は、鉛直方向Ｚにおいて移動体７２の上方となる位置に、幅方向Ｘに延びる媒体通路７３を有している。媒体通路７３は、カッターユニット７０がガイドフレーム６０に沿って幅方向Ｘに移動する際に、媒体Ｓが保持体７１を通過するための通路である。媒体通路７３は、幅方向Ｘにおいて−Ｘ側となる部分が、媒体通路７３内に媒体Ｓを導入するための導入口７４とされている。導入口７４は、媒体通路７３内に媒体Ｓを導入し易くするために、幅方向Ｘにおいて＋Ｘ側から−Ｘ側に向かうにつれて鉛直方向Ｚにおける開きが徐々に大きくなるように構成されている。
【００３１】
保持体７１は、媒体通路７３においてその途中となる位置にカッター刃５１を保持している。すなわち、媒体通路７３は、カッターユニット７０が幅方向Ｘに移動する際に、媒体Ｓをカッター刃５１に向けて案内する。カッター刃５１は、幅方向Ｘにおいて導入口７４よりも＋Ｘ側に配置され、導入口７４と隣り合うように位置している。カッター刃５１は、円板状の駆動刃５２と従動刃５３とで構成されている。駆動刃５２及び従動刃５３は、保持体７１に対して回転可能に取り付けられている。駆動刃５２及び従動刃５３は、鉛直方向Ｚにおいて並ぶように設けられ、媒体通路７３を挟むように配置されている。駆動刃５２は、鉛直方向Ｚにおいて従動刃５３の下方に位置し、搬送方向Ｙにおいて従動刃５３よりも下流側に位置している。
【００３２】
カッター刃５１は、搬送方向Ｙから見たときに、駆動刃５２の上側部分となる刃先と従動刃５３の下側部分となる刃先とが互いに重なる状態で、保持体７１に保持されている。駆動刃５２の刃先及び従動刃５３の刃先は、刃先同士が重なる部分のうち、幅方向Ｘにおいて−Ｘ側寄りの位置となる切断位置Ｑで互いに接触している。本実施形態における駆動刃５２は、その回転軸が搬送方向Ｙに延びる従動刃５３に対して所定の角度だけ傾いた姿勢で保持体７１に保持されている。カッター刃５１は、駆動刃５２及び従動刃５３が回転することによって、駆動刃５２及び従動刃５３の刃先同士が接触する切断位置Ｑにおいて媒体Ｓを切断する。すなわち、切断機構５０は、カッターユニット７０が幅方向Ｘにおいて＋Ｘ側から−Ｘ側に向けて移動する際に、媒体通路７３を通過する媒体Ｓを、回転する駆動刃５２及び従動刃５３で挟み込むことにより切断する。本実施形態における切断機構５０は、幅方向Ｘにおいて＋Ｘ側から−Ｘ側に向けて移動することで媒体Ｓを切断した後、−Ｘ側から＋Ｘ側に向けて移動することでホームポジションＨＰに戻る。
【００３３】
保持体７１は、その上部に、記録部２０が有するキャリッジ２２とカッターユニット７０とを連結するためのレバー７５を有している。レバー７５は、キャリッジ２２に設けられた図示しない係合部、例えばキャリッジ２２から延びる爪と係合可能とされている。すなわち、カッターユニット７０は、レバー７５を介してキャリッジ２２と連結することによって、キャリッジ２２の移動に伴って幅方向Ｘに移動することが可能となる。なお、レバー７５は、アクチュエーター、モーター等によって、係合部と係合する係合状態と、係合部と係合しない解除状態とに切替可能に構成されている。本実施形態においては、例えば、記録部２０が媒体Ｓに記録する際にはレバー７５が解除状態となり、切断機構５０が媒体Ｓを切断する際にはレバー７５が係合状態となる。レバー７５が解除状態となると、キャリッジ２２の移動に伴ってカッターユニット７０は移動せず、レバー７５が係合状態となると、キャリッジ２２の移動に伴ってカッターユニット７０は移動する。
【００３４】
図３及び図４に示すように、移動体７２は、その下部に、ガイドフレーム６０の前壁６２を挟み込むように配置された第１ローラー８１、第２ローラー８２及び第３ローラー８３を有している。第１、第２ローラー８１、８２は、前壁６２において、搬送方向Ｙの下流側となる面にその周面が接触するように配置されている。第３ローラー８３は、前壁６２において、搬送方向Ｙの上流側となる面にその周面が接触するように配置されている。第１ローラー８１は、移動体７２において、幅方向Ｘの＋Ｘ側となる端部に位置し、第２ローラー８２は、−Ｘ側となる端部に位置している。第３ローラー８３は、幅方向Ｘにおいて第１ローラー８１と第２ローラー８２との間に位置している。第１、第２、第３ローラー８１、８２、８３は、その回転軸が鉛直方向Ｚに延び、移動体７２が幅方向Ｘに移動する際に、前壁６２との摩擦によって回転する。すなわち、第１、第２、第３ローラー８１、８２、８３は、前壁６２に沿ってカッターユニット７０の移動をガイドする。
【００３５】
図４及び図５に示すように、移動体７２は、その上部に、ラックギヤ６４が有する溝６６に一部分が収まるように配置された第４ローラー８４及び第５ローラー８５を有している。第４、第５ローラー８４、８５は、その周面が、溝６６の底面６７に接触するように配置されている。第４ローラー８４は、移動体７２において、幅方向Ｘの−Ｘ側となる端部に位置し、第５ローラー８５は、幅方向Ｘの＋Ｘ側となる端部に位置している。つまり、第４ローラー８４は第２ローラー８２の上方に位置し、第５ローラー８５は第１ローラー８１の上方に位置する。第４、第５ローラー８４、８５は、その回転軸が搬送方向Ｙに延び、移動体７２が幅方向Ｘに移動する際に、溝６６の底面６７との摩擦によって回転する。すなわち、第４、第５ローラー８４、８５は、ラックギヤ６４の溝６６に沿ってカッターユニット７０の移動をガイドする。まとめると、第１、第２、第３、第４、第５ローラー８１、８２、８３、８４、８５は、ガイドフレーム６０に沿ってカッターユニット７０の移動をガイドする。
【００３６】
移動体７２は、ラックギヤ６４の歯６５と噛み合い可能な第１ピニオンギヤ９１及び第２ピニオンギヤ９２を有している。すなわち、カッターユニット７０は、複数のピニオンギヤを有している。第１、第２ピニオンギヤ９１、９２は、移動体７２に対して回転可能に取り付けられている。第１、第２ピニオンギヤ９１、９２は、その周面に歯９３、９４を有し、幅方向Ｘにおいて間隔をあけて配置されている。第１ピニオンギヤ９１は、幅方向Ｘにおいて、第２ピニオンギヤ９２よりも−Ｘ側に配置されている。第１、第２ピニオンギヤ９１、９２は、カッターユニット７０がガイドフレーム６０に沿って移動する際に、ラックギヤ６４と噛み合いながら回転する。
【００３７】
図６に示すように、第１ピニオンギヤ９１には、第１ギヤ９５が取り付けられている。第１ギヤ９５は、搬送方向Ｙにおいて第１ピニオンギヤ９１の下流側に配置されている。なお、図６においては、保持体７１及び移動体７２の図示が省略されているが、第１ギヤ９５は、保持体７１が有する部材である。保持体７１は、第１ギヤ９５の他に、第２ギヤ９６及び第３ギヤ９７を有している。第１ギヤ９５は、第１ピニオンギヤ９１と同軸上に配置されている。すなわち、第１ギヤ９５は、第１ピニオンギヤ９１と同期して回転可能とされている。第２ギヤ９６は、第１ギヤ９５の上方に配置され、第１ギヤ９５と噛み合うように設けられている。すなわち、第２ギヤ９６は、第１ギヤ９５と同期して回転可能とされている。第３ギヤ９７は、第２ギヤ９６の上方に配置され、第２ギヤ９６と噛み合うよう設けられている。すなわち、第３ギヤ９７は、第２ギヤ９６と同期して回転可能とされている。
【００３８】
第３ギヤ９７は、カッター刃５１を構成する駆動刃５２と同軸上に配置されている。すなわち、駆動刃５２は、第３ギヤ９７と同期して回転可能とされている。まとめると、カッターユニット７０がガイドフレーム６０に沿って移動する際に、第１ピニオンギヤ９１がラックギヤ６４と噛み合いながら回転することによって、駆動刃５２が回転する。従動刃５３は、その刃先が駆動刃５２の刃先と接触することによって、駆動刃５２の回転に従動回転する。要するに、第１、第２、第３ギヤ９５、９６、９７は、第１ピニオンギヤ９１の回転をカッター刃５１を構成する駆動刃５２に伝達するための中継ギヤとして機能する。
【００３９】
図７に示すように、第１、第２ピニオンギヤ９１、９２は、その周面に有する歯９３、９４が、第１、第２ピニオンギヤ９１、９２の回転軸に対して斜めに延びる斜歯として構成されている。すなわち、第１、第２ピニオンギヤ９１、９２は、所謂ヘリカルギヤとして構成されている。第１、第２ピニオンギヤ９１、９２の歯９３、９４は、鉛直方向Ｚの下方から見たときに、搬送方向Ｙの上流側から下流側に向かうにつれて、幅方向Ｘの＋Ｘ側から−Ｘ側に向かうように斜めに延びている。本実施形態における第１、第２ピニオンギヤ９１、９２は、鉛直方向Ｚの下方から見たときに、その歯９３、９４が右ねじれとなるように構成されている。
【００４０】
ラックギヤ６４は、その歯６５が、第１、第２ピニオンギヤ９１、９２の歯９３、９４に対応するように斜めに延びる斜歯として構成されている。すなわち、ラックギヤ６４は、所謂ヘリカルラックとして構成されている。ラックギヤ６４の歯６５は、鉛直方向Ｚの下方から見たときに、搬送方向Ｙの上流側から下流側に向かうにつれて、幅方向Ｘの−Ｘ側から＋Ｘ側に向かうように斜めに延びている。本実施形態におけるラックギヤ６４は、第１、第２ピニオンギヤ９１、９２と噛み合い可能とするために、鉛直方向Ｚの下方から見たときにその歯６５が左ねじれとなるように構成されている。
【００４１】
次に、上記のように構成された記録装置１１の作用について、特に切断機構５０が媒体Ｓを切断する場合に着目して説明する。
図７に示すように、切断機構５０が媒体Ｓを切断する際、カッターユニット７０は、幅方向Ｘにおいて＋Ｘ側から−Ｘ側に向けて移動する。カッターユニット７０がガイドフレーム６０に沿って移動することに伴い、第１、第２ピニオンギヤ９１、９２は、その歯９３、９４がラックギヤ６４の歯６５と噛み合いながら回転する。すなわち、カッターユニット７０は、ラックギヤ６４と噛み合う第１、第２ピニオンギヤ９１、９２を回転させながら、ガイドフレーム６０に沿って移動する。このとき、歯９３、９４、６５が斜歯であるため、第１、第２ピニオンギヤ９１、９２及びラックギヤ６４に、歯９３、９４、６５の歯筋に対応した推力が生じる。この推力は、第１、第２ピニオンギヤ９１、９２の回転軸に沿う方向、本実施形態においては搬送方向Ｙと一致する方向に向けて生じる。すなわち、カッターユニット７０は、ラックギヤ６４に沿って移動する際に、第１、第２ピニオンギヤ９１、９２がラックギヤ６４と噛み合いながら回転することによって、搬送方向Ｙにおいて押し付けられる。
【００４２】
キャリッジ２２の移動に伴ってカッターユニット７０が幅方向Ｘの＋Ｘ側から−Ｘ側に向けて移動する際、第１、第２ピニオンギヤ９１、９２の歯９３、９４が、ラックギヤ６４の歯６５における山部分に対して、第１、第２ピニオンギヤ９１、９２の移動方向と対向する側（ここでは＋Ｘ側）の斜面に押し当てられながらの移動となるため、第１、第２ピニオンギヤ９１、９２には、図７においてドット付きの矢印で示すように、搬送方向Ｙにおいて下流側から上流側に向かう推力が生じる。すなわち、切断機構５０が媒体Ｓを切断する際、カッターユニット７０は、推力によって搬送方向Ｙの上流側に押し付けられながら移動する。具体的には、第１、第２ローラー８１、８２がガイドフレーム６０の前壁６２に押し付けられながら、カッターユニット７０が幅方向Ｘに移動する。
【００４３】
キャリッジ２２の移動に伴ってカッターユニット７０が幅方向Ｘの−Ｘ側から＋Ｘ側に向けて移動する際、第１、第２ピニオンギヤ９１、９２の歯９３、９４が、ラックギヤ６４の歯６５における山部分に対して、第１、第２ピニオンギヤ９１、９２の移動方向と対向する側（ここでは−Ｘ側）の斜面に押し当てられながらの移動となるため、第１、第２ピニオンギヤ９１、９２には、図７において白抜きの矢印で示すように、搬送方向Ｙにおいて上流側から下流側に向かう推力が発生する。すなわち、切断機構５０が媒体Ｓを切断した後、カッターユニット７０がホームポジションＨＰに向けて移動する際、カッターユニット７０は、推力によって搬送方向Ｙの下流側に押し付けられながら移動する。具体的には、第３ローラー８３がガイドフレーム６０の前壁６２に押し付けられながら、カッターユニット７０が幅方向Ｘに移動する。
【００４４】
なお、カッターユニット７０が移動する際、ラックギヤ６４には、反作用として第１、第２ピニオンギヤ９１、９２に生じる推力とは逆向きの推力が発生する。しかし、ガイドフレーム６０は筐体１２に固定されているため、カッターユニット７０がガイドフレーム６０に対して移動することになる。
【００４５】
また、カッターユニット７０は、第１ピニオンギヤ９１または第２ピニオンギヤ９２が駆動し、キャリッジ２２とは独立して移動しながら媒体Ｓを切断してもよい。この場合、第１ピニオンギヤ９１の歯９３または第２ピニオンギヤ９２の歯９４が、ラックギヤ６４の歯６５における山部分に対して、第１ピニオンギヤ９１または第２ピニオンギヤ９２の移動方向側の斜面と噛み合いながらの移動となる。そのため、キャリッジ２２の移動に伴ってカッターユニット７０が従動移動する場合とは反対向きの推力が発生する。すなわち、第１ピニオンギヤ９１または第２ピニオンギヤ９２を駆動し、カッターユニット７０を移動する場合には、第１、第２ピニオンギヤ９１、９２及び、ラックギヤ６４の斜歯の向きも反対にする必要がある。また、カッターユニット７０は、第１ピニオンギヤ９１及び第２ピニオンギヤ９２が駆動し、キャリッジ２２とは独立して移動しながら媒体Ｓを切断してもよい。
【００４６】
上記実施形態によれば、以下のような効果を得ることができる。
（１）第１、第２ピニオンギヤ９１、９２とラックギヤ６４が斜歯で構成されている。そのため、ラックギヤ６４に対して第１、第２ピニオンギヤ９１、９２が回転する際、第１、第２ピニオンギヤ９１、９２にはその回転軸に沿う推力が発生する。カッターユニット７０が第１、第２ピニオンギヤ９１、９２を回転させながらラックギヤ６４に沿って移動する際、この推力によってカッターユニット７０がラックギヤ６４に押し付けられる。これにより、カッターユニット７０の姿勢が安定した状態で媒体Ｓが切断される。したがって、精度よく媒体Ｓを切断できる。
【００４７】
（２）カッター刃５１は、カッターユニット７０に回転可能に取り付けられ、第１ピニオンギヤ９１が回転することにより回転する。カッター刃５１が回転することにより媒体Ｓを切断し易くできる。
【００４８】
（３）記録装置１１は、第１ピニオンギヤ９１の回転をカッター刃５１に伝達する第１、第２、第３ギヤ９５、９６、９７からなる中継ギヤを備える。これにより、カッター刃５１及び第１ピニオンギヤ９１における配置の自由度を向上できる。
【００４９】
（４）カッターユニット７０に第１、第２ピニオンギヤ９１、９２からなる複数のピニオンギヤが設けられている。そのため、カッターユニット７０を押し付ける推力がより大きくなり、カッターユニット７０の姿勢をより安定させることができる。
【００５０】
（５）第１、第２ピニオンギヤ９１、９２及びラックギヤ６４は、媒体Ｓを切断する際に、カッターユニット７０を搬送方向Ｙの上流側に向けて押し付けるような斜歯で構成されている。そのため、カッターユニット７０の姿勢を安定させることができる。
【００５１】
（６）第１、第２ピニオンギヤ９１、９２及びラックギヤ６４は、カッターユニット７０がホームポジションＨＰへ移動する際、カッターユニット７０を搬送方向Ｙの下流側に向けて押し付けるような斜歯で構成されている。そのため、カッターユニット７０がホームポジションＨＰへ戻る際に、切断済みの媒体Ｓを再び切断する虞を低減できる。
【００５２】
（７）記録部２０は、キャリッジ（移動部）２２を有し、カッターユニット７０は、キャリッジ（移動部）２２の移動に伴って移動可能に構成される。すなわち、カッターユニット７０を移動させるためのモーターなどが不要となる。そのため、カッターユニット７０の構成を簡易にすることができる。
【００５３】
なお、上記実施形態は以下のように変更してもよい。また、以下の変更例は適宜組み合わせてもよい。
・図１において二点鎖線で示すように、記録装置１１は、カッターユニット７０を幅方向Ｘに移動させるための駆動部１９を別途備えてもよい。
【００５４】
この変更例によれば、以下の効果を得ることができる。
（８）記録装置１１がカッターユニット７０をラックギヤ６４に沿って移動させるための駆動部１９を備えるため、カッターユニット７０を移動させるための機構を容易に実現することができる。
【００５５】
・カッターユニット７０のホームポジションＨＰは、幅方向Ｘの−Ｘ側となる端部に設けられていてもよい。
・カッターユニット７０は、保持体７１と移動体７２とが一体的に設けられる構成でもよい。
【００５６】
・記録部２０は移動部としてのキャリッジ２２を備えなくともよい。この場合、ヘッド２１を幅方向Ｘに亘って長尺となるラインヘッドとして構成することが好ましい。
・カッター刃５１は、回転する刃に限らず、固定された刃でもよい。
【００５７】
・中継ギヤとして機能する第１、第２、第３ギヤ９５、９６、９７を備えなくともよい。例えば、駆動刃５２を第１ピニオンギヤ９１と直結して、駆動刃５２を直接回転させる構成としてもよい。また、別途駆動源を備えて駆動刃５２を回転させる構成としてもよい。
【００５８】
・カッターユニット７０は、複数のピニオンギヤを設けなくともよい。カッターユニット７０が少なくとも一つのピニオンギヤを備えていれば、カッターユニット７０の姿勢を安定させることができる。
【００５９】
・第２ピニオンギヤ９２が回転することで駆動刃５２を回転させる構成としてもよい。
・媒体Ｓは、用紙に限らず、プラスチックフィルム、金属フィルム、布帛等でもよい。
・記録装置１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００６０】
１１…記録装置、１９…駆動部、２０…記録部、２２…キャリッジ（移動部）、４０…搬送部、５０…切断機構、５１…カッター刃、５２…駆動刃、５３…従動刃、６０…ガイドフレーム、６１…底壁、６２…前壁、６３…後壁、６４…ラックギヤ、６５…歯、７０…カッターユニット、７１…保持体、８１…第１ローラー、８２…第２ローラー、８３…第３ローラー、９１…第１ピニオンギヤ（ピニオンギヤ）、９２…第２ピニオンギヤ（ピニオンギヤ）、９３…歯、９４…歯、９５…第１ギヤ（中継ギヤ）、９６…第２ギヤ（中継ギヤ）、９７…第３ギヤ（中継ギヤ）、ＨＰ…ホームポジション、Ｓ…媒体、Ｘ…幅方向、Ｙ…搬送方向、Ｚ…鉛直方向。
【図１】
2018161695.tif 000003
【図２】
2018161695.tif 000004
【図３】
2018161695.tif 000005
【図４】
2018161695.tif 000006
【図５】
2018161695.tif 000007
【図６】
2018161695.tif 000008
【図７】
2018161695.tif 000009